【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
メッセージアプリケーションがインストールされた第１端末へのコンテンツの送信と、
前記第１端末から送信されたコンテンツの受信と、を行う端末であって、
前記端末の電話番号に基づき送信された、前記メッセージアプリケーションに関する情報と、前記第１端末から送信された第１コンテンツと、を前記第１端末から受信する通信部と、
前記メッセージアプリケーションとは異なるアプリケーションにより前記第１コンテンツを表示する表示部と、
前記メッセージアプリケーションに関する情報に基づき、前記メッセージアプリケーションが前記端末にインストールされた後、前記通信部により前記第１端末に第２コンテンツを送信する制御を行う制御部とを備え、
前記表示部は、前記異なるアプリケーションにより表示された前記第１コンテンツと、
前記第２コンテンツと、を前記メッセージアプリケーションにより表示する。
【請求項２】
請求項１に記載の端末であって、
前記異なるアプリケーションにより表示された前記第１コンテンツは、記憶部に記憶される。
【請求項３】
請求項１または請求項２に記載の端末であって、
前記制御部は、前記メッセージアプリケーションに搭載された機能によって、前記異な
るアプリケーションに搭載された機能では送信できない第３コンテンツを前記第１端末に
送信する制御を行い、
前記表示部は、前記メッセージアプリケーションによって前記第３コンテンツを表示す
る。
【請求項４】
請求項１から請求項３のいずれか一項に記載の端末であって、
前記メッセージアプリケーションに関する情報は、ＳＭＳまたはＭＭＳによって送信される。
【請求項５】
請求項４に記載の端末であって、
前記メッセージアプリケーションに関する情報は、前記第１端末の前記メッセージアプリケーションが起動され、前記第１端末の前記メッセージアプリケーションに対する前記第１端末のユーザによる入力により、前記ＳＭＳまたは前記ＭＭＳによって送信される。
【請求項６】
請求項１から請求項５のいずれか一項に記載の端末であって、
前記第１コンテンツと、前記第２コンテンツとは、時系列で前記表示部に表示される。
【請求項７】
請求項３に記載の端末であって、
前記メッセージアプリケーションは、前記メッセージアプリケーションに搭載された機能によって、少なくともスタンプを送信する機能を有し、
前記異なるアプリケーションは、前記スタンプを送信する機能を有さない。
【請求項８】
請求項１から請求項７のいずれか一項に記載の端末であって、
前記表示部は、前記メッセージアプリケーションのインストールの後、前記端末のユーザの入力に基づき、前記異なるアプリケーションにより、前記第１コンテンツを表示する。
【請求項９】
請求項１から請求項８のいずれか一項に記載の端末であって、
前記第１コンテンツは、メッセージであり、
前記第２コンテンツは、スタンプである。
【請求項１０】
請求項１から請求項９のいずれか一項に記載の端末であって、
前記メッセージアプリケーションに関する情報は、ＵＲＬ情報を含む。
【請求項１１】
請求項１から請求項１０のいずれか一項に記載の端末であって、
前記第１コンテンツは、サーバを介して前記第１端末から前記端末に送信され、
前記第２コンテンツは、前記サーバを介して前記端末から前記第１端末に送信される。
【請求項１２】
請求項１から請求項１１のいずれか一項に記載の端末であって、
前記異なるアプリケーションは、１対１でのコンテンツの送受信のみが可能であり、
前記メッセージアプリケーションは、前記メッセージアプリケーションに搭載された機
能により、前記端末と、前記第１端末と、前記第１端末および前記端末とは異なる第２端
末との間でコンテンツの送受信が可能である。
【請求項１３】
請求項１から請求項１１のいずれか一項に記載の端末であって、
前記第２コンテンツは、前記メッセージアプリケーションにより、前記端末と、前記第
１端末および前記端末とは異なる第２端末とに、前記第１端末から送信される。
【請求項１４】
請求項１３に記載の端末であって、
前記端末と、前記第１端末と、前記第２端末とは、前記メッセージアプリケーションのグループのメンバーに含まれる。
【請求項１５】
請求項１から請求項１４のいずれか一項に記載の端末であって、
前記第１コンテンツは、前記第１端末のユーザによる、前記メッセージアプリケーショ
ンに対する入力に基づき、前記第１端末から送信される。
【請求項１６】
メッセージアプリケーションがインストールされた第１端末へのコンテンツの送信と、
前記第１端末から送信されたコンテンツの受信と、を行う端末によって実行されるプログラムであって、
前記端末の電話番号に基づき送信された、前記メッセージアプリケーションに関する情報と、前記第１端末から送信された第１コンテンツと、を前記第１端末から前記端末の通信部によって受信することと、
前記メッセージアプリケーションとは異なるアプリケーションにより前記端末の表示部に前記第１コンテンツを表示することと、
前記メッセージアプリケーションに関する情報に基づき、前記メッセージアプリケーションが前記端末にインストールされた後、前記通信部により前記第１端末に第２コンテンツを送信する制御を前記端末の制御部によって行うことと、
前記異なるアプリケーションにより表示された前記第１コンテンツと、前記第２コンテンツと、を前記メッセージアプリケーションにより前記表示部に表示することとが前記端末によって実行される。
【請求項１７】
請求項１６に記載のプログラムであって、
前記異なるアプリケーションにより表示された前記第１コンテンツは、記憶部に記憶される。
【請求項１８】
請求項１６または請求項１７に記載のプログラムであって、
前記メッセージアプリケーションに搭載された機能によって、前記異なるアプリケーションに搭載された機能では送信できない第３コンテンツを前記第１端末に送信する制御を前記制御部によって行うことと、
前記メッセージアプリケーションによって前記第３コンテンツを前記表示部に表示することとが前記端末によって実行される。
【請求項１９】
請求項１６から請求項１８のいずれか一項に記載のプログラムであって、
前記メッセージアプリケーションに関する情報は、ＳＭＳまたはＭＭＳによって送信される。
【請求項２０】
請求項１９に記載のプログラムであって、
前記メッセージアプリケーションに関する情報は、前記第１端末の前記メッセージアプリケーションが起動され、前記第１端末の前記メッセージアプリケーションに対する前記第１端末のユーザによる入力により、前記ＳＭＳまたは前記ＭＭＳによって送信される。
【請求項２１】
請求項１６から請求項２０のいずれか一項に記載のプログラムであって、
前記第１コンテンツと、前記第２コンテンツとは、時系列で前記表示部に表示される。
【請求項２２】
請求項１８に記載のプログラムであって、
前記メッセージアプリケーションは、前記メッセージアプリケーションに搭載された機能によって、少なくともスタンプを送信する機能を有し、
前記異なるアプリケーションは、前記スタンプを送信する機能を有さない。
【請求項２３】
請求項１６から請求項２２のいずれか一項に記載のプログラムであって、
前記メッセージアプリケーションのインストールの後、前記端末のユーザの入力に基づき、前記異なるアプリケーションにより、前記第１コンテンツを前記表示部に表示することが前記端末によって実行される。
【請求項２４】
請求項１６から請求項２３のいずれか一項に記載のプログラムであって、
前記第１コンテンツは、メッセージであり、
前記第２コンテンツは、スタンプである。
【請求項２５】
請求項１６から請求項２４のいずれか一項に記載のプログラムであって、
前記メッセージアプリケーションに関する情報は、ＵＲＬ情報を含む。
【請求項２６】
請求項１６から請求項２５のいずれか一項に記載のプログラムであって、
前記第１コンテンツは、サーバを介して前記第１端末から前記端末に送信され、
前記第２コンテンツは、前記サーバを介して前記端末から前記第１端末に送信される。
【請求項２７】
請求項１６から請求項２６のいずれか一項に記載のプログラムであって、
前記異なるアプリケーションは、１対１でのコンテンツの送受信のみが可能であり、
前記メッセージアプリケーションは、前記メッセージアプリケーションに搭載された機
能により、前記端末と、前記第１端末と、前記第１端末および前記端末とは異なる第２端
末との間でコンテンツの送受信が可能である。
【請求項２８】
請求項１６から請求項２６のいずれか一項に記載のプログラムであって、
前記第２コンテンツは、前記メッセージアプリケーションにより、前記端末と、前記第
１端末および前記端末とは異なる第２端末とに、前記第１端末から送信される。
【請求項２９】
請求項２８に記載のプログラムであって、
前記端末と、前記第１端末と、前記第２端末とは、前記メッセージアプリケーションのグループのメンバーに含まれる。
【請求項３０】
請求項１６から請求項２９のいずれか一項に記載のプログラムであって、
前記第１コンテンツは、前記第１端末のユーザによる、前記メッセージアプリケーショ
ンに対する入力に基づき、前記第１端末から送信される。
【請求項３１】
メッセージアプリケーションがインストールされた第１端末へのコンテンツの送信と、
前記第１端末から送信されたコンテンツの受信と、を行う端末の情報処理方法であって、
前記端末の電話番号に基づき送信された、前記メッセージアプリケーションに関する情報と、前記第１端末から送信された第１コンテンツと、を前記第１端末から前記端末の通信部によって受信することと、
前記メッセージアプリケーションとは異なるアプリケーションにより前記端末の表示部に前記第１コンテンツを表示することと、
前記メッセージアプリケーションに関する情報に基づき、前記メッセージアプリケーションが前記端末にインストールされた後、前記通信部により前記第１端末に第２コンテンツを送信する制御を前記端末の制御部によって行うことと、
前記異なるアプリケーションにより表示された前記第１コンテンツと、前記第２コンテンツと、を前記メッセージアプリケーションにより前記表示部に表示することとを含む。